(57)【要約】【課題】圧力損失を低減して濾過膜の膜面を有効に利用することが可能であり、より多くの透過液を集液可能な膜カートリッジを提供する。【解決手段】濾板３６に、濾過膜と、濾過膜を透過した透過液が流れる複数種類の貫通流路溝パターン３８，３９とが設けられ、濾板３６の周縁部に、貫通流路溝パターン３８，３９内の透過液を集めて取出す透過液取出ノズル４１，４２が複数設けられ、貫通流路溝パターン３８，３９は、傾斜した直線状の複数の平行な貫通流路溝３８ａ，３９ａと、貫通流路溝３８ａ，３９ａ間に連通する複数の連通溝３８ｂ，３９ｂとを有し、各貫通流路溝３８ａ，３９ａは、一端部から他端部に向って、直近の透過液取出ノズル４１，４２に漸次近付くように配列され、透過液が各貫通流路溝３８ａ，３９ａを経て各透過液取出ノズル４１，４２に流れる。【選択図】図４
2010075846.tif 000002
【特許請求の範囲】
【請求項１】
濾板の少なくとも表裏いずれか一方の面に濾過膜を配置し、
濾過膜で覆われた濾板表面に、濾過膜を透過した透過液が流れる流路溝パターンを形成し、
濾板の周縁部に、流路溝パターンを流れる透過液を集めて取り出す透過液取出口が設けられた浸漬型膜分離装置を構成する膜カートリッジであって、
透過液取出口は濾板に複数設けられ、
濾板は複数の集水区域に区分され、
流路溝パターンは、各集水区域に形成されており、各集水区域を貫く直線状の複数の貫通流路溝を有し、
各貫通流路溝は、一端部から他端部に向って、直近の透過液取出口に漸次近付くことを特徴とする膜カートリッジ。
【請求項２】
集水区域内の貫通流路溝が互いに平行に配列されていることを特徴とする請求項１記載の膜カートリッジ。
【請求項３】
集水区域内の貫通流路溝が、直近の透過液取出口の近傍を中心にして、放射状に配列されていることを特徴とする請求項１記載の膜カートリッジ。
【請求項４】
隣り合う貫通流路溝同士が連通溝を介して連通していることを特徴とする請求項１から請求項３のいずれか１項に記載の膜カートリッジ。
【請求項５】
連通溝と貫通流路溝とがＴ字状に交差していることを特徴とする請求項４記載の膜カートリッジ。
【請求項６】
濾板は縦横の長さが異なる形状であり、
濾板の長手方向を立設させた際に、各透過液取出口は取付け高さの異なる位置に設けられ、
集水区域は濾板を上下複数に区分し、
複数の集水区域のうちのいずれかの集水区域の貫通流路溝パターンが別の集水区域の貫通流路溝パターンと異なっていることを特徴とする請求項１から請求項５のいずれか１項に記載の膜カートリッジ。
【請求項７】
透過液取出口は集水区域の境界部分に対応した位置に設けられていることを特徴とする請求項１から請求項６のいずれか１項に記載の膜カートリッジ。
【請求項８】
各集水区域の境界部分にヘッダー溝が設けられ、
境界部分を挟んで互いに隣接する一方の集水区域内の貫通流路溝と他方の集水区域内の貫通流路溝とがヘッダー溝に連通し、
ヘッダー溝の流路断面積が貫通流路溝の流路断面積よりも大きいことを特徴とする請求項１から請求項７のいずれか１項に記載の膜カートリッジ。
【発明の詳細な説明】
【技術分野】
【０００１】
本発明は、活性汚泥等の固液分離等に用いられる浸漬型膜分離装置を構成する膜カートリッジに関する。
【背景技術】
【０００２】
従来、例えば膜分離活性汚泥処理においては、下水等を活性汚泥処理する反応槽内に浸漬型の膜分離装置を浸漬している。この膜分離装置には、本体ケーシングの内部に複数枚の有機平膜型の膜カートリッジを所定間隔で平行に配列して充填したものがある。
【０００３】
図１０，図１１に示すように、膜カートリッジ１０は、濾板１１と、濾板１１の表裏両面に設けられた濾過膜１２とを有している。濾板１１の表裏両面には、濾過膜１２を透過した透過液が流れる流路溝１３が形成されている。また、濾板１１の一側方の上端部の一箇所には、流路溝１３内の透過液を集めて膜カートリッジ１０の外部へ取り出す透過液取出口１４が設けられている。尚、流路溝１３は六角形のハニカム状の流路溝パターン１５を形成している。
【０００４】
これによると、吸引ポンプによって膜カートリッジ１０の内側に吸引圧を与えることにより、濾過膜１２に作用する膜間差圧を駆動圧として、槽内混合液（被処理液）が濾過膜１２で濾過され、濾過膜１２を透過した透過液が、流路溝１３を経て透過液取出口１４に流れ、透過液取出口１４からヘッダーを通って排出される。
【０００５】
尚、上記のようなハニカム状の流路溝パターン１５を有する膜カートリッジ１０は、例えば下記特許文献１に記載されている。
また、ハニカム状の流路溝パターン１５とは別の流路溝パターンとして、図１２に示すように、Ｘ状の流路溝パターン１８を有する膜カートリッジもある。流路溝パターン１８は、Ｘ状に交差する複数の流路溝１３によって形成されている。
【特許文献１】特開２００７−２６８３８８号公報
【発明の開示】
【発明が解決しようとする課題】
【０００６】
しかしながら、上記図１０，図１１に示したハニカム状の流路溝パターン１５を有する膜カートリッジ１０では、流路溝１３は濾板１１の透過液取出口１４側に向って直線状に連続せず、透過液は合流と分岐を繰り返しながら透過液取出口１４に向って流れるため、圧力損失が増大して濾過膜１２の全面を有効に利用することが困難であるといった問題がある。
【０００７】
また、上記図１２に示したＸ状の流路溝パターン１８を有する膜カートリッジ１９においては、流路溝１３が交差する交差部分２０では、濾過膜１２は周囲を流路溝１３で区切られた四つのセル２２の角２１ａ〜２１ｄのみで支持（四点支持）される。このため、膜カートリッジ１９に吸引圧を与えた際、交差部分２０において濾過膜１２を十分に支持することが困難となり、交差部分２０において濾過膜１２が流路溝１３内に食い込んで流路溝１３の流路断面積が縮小し、これにより、圧力損失が増大して膜カートリッジ１０の濾過膜１２の全面を有効に利用することが困難であるといった問題がある。
【０００８】
また、図１０〜図１２に示した膜カートリッジ１０では、透過液取出口１４は濾板１１の上端部の一箇所のみに設けられているため、膜カートリッジ１０が上下方向に長い場合、透過液取出口１４から離れた膜カートリッジ１０の下部まで十分な吸引圧を作用させることが困難であり、その結果、膜カートリッジ１０の下部から十分な透過液が得られないといった問題もある。
【０００９】
本発明は、圧力損失を低減して膜面を有効に利用することが可能であり、また、より多くの透過液が得られる膜カートリッジを提供することを目的とする。
【課題を解決するための手段】
【００１０】
上記目的を達成するために、本第１発明は、濾板の少なくとも表裏いずれか一方の面に濾過膜を配置し、
濾過膜で覆われた濾板表面に、濾過膜を透過した透過液が流れる流路溝パターンを形成し、
濾板の周縁部に、流路溝パターンを流れる透過液を集めて取り出す透過液取出口が設けられた浸漬型膜分離装置を構成する膜カートリッジであって、
透過液取出口は濾板に複数設けられ、
濾板は複数の集水区域に区分され、
流路溝パターンは、各集水区域に形成されており、各集水区域を貫く直線状の複数の貫通流路溝を有し、
各貫通流路溝は、一端部から他端部に向って、直近の透過液取出口に漸次近付くものである。
【００１１】
これによると、膜カートリッジの内側に吸引圧が与えられると、被処理液が濾過膜で濾過され、濾過膜を透過した透過液が、各透過液取出口に向かって流路溝パターンの貫通流路溝を流れ、各透過液取出口から膜カートリッジの外部に取り出される。
【００１２】
流路溝パターンの貫通流路溝は、直線状であり、一端部から他端部に向って直近の透過液取出口に漸次近付くように配列されているため、貫通流路溝内の透過液の流れがスムーズになるとともに、透過液が貫通流路溝内を透過液取出口まで流れる際の距離は短くなる。これにより、圧力損失を低減して膜カートリッジの膜面を有効に利用することができる。
【００１３】
本第２発明は、集水区域内の貫通流路溝が互いに平行に配列されているものである。
本第３発明は、集水区域内の貫通流路溝が、直近の透過液取出口の近傍を中心にして、放射状に配列されているものである。
【００１４】
本第４発明は、隣り合う貫通流路溝同士が連通溝を介して連通しているものである。
これによると、濾過膜を透過した透過液は、各透過液取出口に向かって貫通流路溝と連通溝とを流れ、各透過液取出口から膜カートリッジの外部に取り出される。
【００１５】
本第５発明は、連通溝と貫通流路溝とがＴ字状に交差しているものである。
これによると、連通溝と貫通流路溝とが交差する交差部分では、濾過膜は、周囲を連通溝と貫通流路溝とで区切られたセルの二つの角と、貫通流路溝の片側縁とで支持（すなわち二点と一本の直線部とで支持）される。このため、膜カートリッジの内側に吸引圧を与えた際、従来のようにセルの四つの角のみで支持（すなわち四点支持）するものと比べて、交差部分において濾過膜を十分に支持することができる。これにより、交差部分において濾過膜が貫通流路溝内に食い込んで貫通流路溝の流路断面積が縮小するのを防止することができ、このため、圧力損失を低減して膜カートリッジの膜面を有効に利用することができる。
【００１６】
本第６発明は、濾板は縦横の長さが異なる形状であり、
濾板の長手方向を立設させた際に、各透過液取出口は取付け高さの異なる位置に設けられ、
集水区域は濾板を上下複数に区分し、
複数の集水区域のうちのいずれかの集水区域の貫通流路溝パターンが別の集水区域の貫通流路溝パターンと異なっているものである。
【００１７】
これによると、濾過膜を透過した透過液は、各集水区域の流路溝パターンの貫通流路溝内を流れて、各集水区域に最も近い透過液取出口から膜カートリッジの外部に取り出される。これにより、圧力損失を低減して膜カートリッジの膜面全体に十分な吸引圧を作用させることができ、膜面を有効に利用して透過液を集液することができる。
【００１８】
本第７発明は、透過液取出口は集水区域の境界部分に対応した位置に設けられているものである。
これによると、透過液は、境界部分を挟んで隣り合った一方の集水区域における流路溝パターンの貫通流路溝と他方の集水区域における流路溝パターンの貫通流路溝とを流れて、両方の集水区域の境界部分に対応した透過液取出口から膜カートリッジの外部に取り出される。
【００１９】
本第８発明は、各集水区域の境界部分に長いヘッダー溝が設けられ、
境界部分を挟んで互いに隣接する一方の集水区域内の貫通流路溝と他方の集水区域内の貫通流路溝とがヘッダー溝に連通し、
ヘッダー溝の流路断面積が貫通流路溝の流路断面積よりも大きいものである。
【００２０】
これによると、濾過膜を透過した透過液は、貫通流路溝内を経て、ヘッダー溝内を流れる。ヘッダー溝の流路断面積は貫通流路溝の流路断面積よりも大きいため、ヘッダー溝内を流れる透過液の流速は、貫通流路溝内を流れる透過液の流速に比べて低下する。これにより、ヘッダー溝内の圧力がほぼ平均化（均圧化）され、膜カートリッジの幅方向において吸引圧（圧力分布）を平均化（均圧化）することができる。
【発明の効果】
【００２１】
以上のように、本発明によると、膜カートリッジの圧力損失を低減できるとともに、吸引圧を膜面全体に十分に作用させることができ、膜面を有効に利用して、膜カートリッジ
からより多くの透過液を集液することができる。
【発明を実施するための最良の形態】
【００２２】
以下、本発明における第１の実施の形態を図１〜図６を参照して説明する。
図１，図２に示すように、３１は、下水等を活性汚泥処理する反応槽３２の内部に設けられた浸漬型の膜分離装置である。この膜分離装置３１は、上下両端部が開放された四角形状の本体ケーシング３３と、本体ケーシング３３の内部に所定間隔をあけて平行に配列された複数枚の有機平膜型の膜カートリッジ３４と、これら膜カートリッジ３４の下方に設けられた散気装置６４とを有している。
【００２３】
尚、隣接する各膜カートリッジ３４は、対向する膜面間に所定間隔をあけて、平行に配列されている。また、各膜カートリッジ３４同士は所定間隔をあけて離間しているが、少なくとも側辺部で接触していてもよい。この場合は、本体ケーシング３３の側面を開放してもよく、又は、本体ケーシング３３を不要にしてもよい。
【００２４】
図３に示すように、膜カートリッジ３４は、上下方向Ａに長い長方形状（縦横の長さが異なる形状の一例）の濾板３６と、濾板３６の表裏両面に取り付けられた濾過膜３７とを有している。濾過膜３７の周縁部は濾板３６に溶着又は接着等により固着されている。
【００２５】
図４に示すように、濾板３６の表裏両面にはそれぞれ、濾過膜３７を透過した透過液が流れる複数種類（図４では二種類）流路溝パターン３８，３９が形成されており、流路溝パターン３８，３９は濾過膜３７で覆われている。
【００２６】
濾板３６の幅方向Ｂにおける一側部には、第１および第２の流路溝パターン３８，３９内の透過液を集めて膜カートリッジ３４の外部に取り出す上下複数個（図４では上下二個）の透過液取出ノズル４１，４２（透過液取出口の一例）が設けられている。尚、濾板３６の下端から上部の透過液取出ノズル４１までの取付け高さは濾板３６の下端から下部の透過液取出ノズル４２までの取付け高さよりも高く設定されている。
【００２７】
図３，図４に示すように、濾板３６は上下複数個（図３，図４では上下三個）の集水区域４４〜４６に区分されている。上部の透過液取出ノズル４１は上部の集水区域４４の上端部に位置している。また、下部の透過液取出ノズル４２は、中央部の集水区域４５と下部の集水区域４６との境界部分７０に対応した位置に設けられている。
【００２８】
尚、第１の流路溝パターン３８は上部の集水区域４４と下部の集水区域４６とに形成され、第２の流路溝パターン３９は中央部の集水区域４５に形成されている。
図４，図５に示すように、第１の流路溝パターン３８は、各集水区域４４，４６を貫く直線状の複数の貫通流路溝３８ａと、隣り合う貫通流路溝３８ａ同士に連通する複数の連通溝３８ｂとによって形成されている。同様に、第２の流路溝パターン３９は、集水区域４５を貫く直線状の複数の貫通貫通流路溝３９ａと、隣り合う貫通貫通流路溝３９ａ同士に連通する複数の連通溝３９ｂとによって形成されている。尚、第１の流路溝パターン３８の各貫通流路溝３８ａは所定間隔をあけて互いに平行に配列され、同様に、第２の流路溝パターン３９の各貫通流路溝３９ａは所定間隔をあけて互いに平行に配列されている。また、上記第１および第２の流路溝パターン３８，３９を形成することにより、濾板３６の表裏両面には、周囲を各貫通流路溝３８ａ，３９ａと連通溝３８ｂ，３９ｂとで区切られた複数の長方形状のセル４０が形成されている。
【００２９】
第１の流路溝パターン３８の貫通流路溝３８ａの長さ方向Ｃ１と第２の流路溝パターン３９の貫通流路溝３９ａの長さ方向Ｃ２とは異なっている。
上部の集水区域４４の第１の流路溝パターン３８の各貫通流路溝３８ａは、長さ方向Ｃ１の下端部（一端部の一例）から上端部（他端部の一例）に向って、上部の透過液取出ノズル４１（直近の透過液取出口の一例）に漸次近付くように、鉛直方向に対して傾斜している。
【００３０】
中央部の集水区域４５の第２の流路溝パターン３９の各貫通流路溝３９ａは、長さ方向Ｃ２の上端部（一端部の一例）から下端部（他端部の一例）に向って、下部の透過液取出ノズル４２（直近の透過液取出口の一例）に漸次近付くように、鉛直方向に対して傾斜している。
【００３１】
下部の集水区域４６の第１の流路溝パターン３８の各貫通流路溝３８ａは、長さ方向Ｃ１の下端部（一端部の一例）から上端部（他端部の一例）に向って、下部の透過液取出ノズル４２（直近の透過液取出口の一例）に漸次近付くように、鉛直方向に対して傾斜している。
【００３２】
第１の流路溝パターン３８の貫通流路溝３８ａと連通溝３８ｂ並びに第２の流路溝パターン３９の貫通流路溝３９ａと連通溝３９ｂとは、それぞれ、Ｔ字状に交差している。
濾板３６の表裏両面にはそれぞれ、濾板３６の幅方向Ｂに長いヘッダー溝５１〜５３が上下複数本（図４では上下三本）形成されている。このうち、第１のヘッダー溝５１は上部の集水区域４４の上端部に位置し、第２のヘッダー溝５２は上部の集水区域４４と中央部の集水区域４５との境界部分７１に位置し、第３のヘッダー溝５３は中央部の集水区域４５と下部の集水区域４６との境界部分７０に位置している。
【００３３】
第１のヘッダー溝５１には、上部の集水区域４４内の貫通流路溝３８ａの上端部が連通している。また、第２のヘッダー溝５２には、上部の集水区域４４内（一方の集水区域内）の貫通流路溝３８ａの下端部と中央部の集水区域４５内（他方の集水区域内）の貫通流路溝３９ａの上端部とが連通している。また、第３のヘッダー溝５３には、中央部の集水区域４５内（一方の集水区域内）の貫通流路溝３９ａの下端部と下部の集水区域４６内（他方の集水区域内）の貫通流路溝３８ａの上端部とが連通している。尚、各ヘッダー溝５１〜５３の流路断面積は各貫通流路溝３８ａ，３９ａの流路断面積よりも大きい。
【００３４】
図５に示すように、上部および下部の透過液取出ノズル４１，４２はそれぞれ、濾板３６の縁部から外側方へ突出したノズル本体部５５と、ノズル本体部５５に設けられた孔部５６とを有している。尚、孔部５６の一端はノズル本体部５５の先端に開口し、孔部５６の他端は第１および第３のヘッダー溝５１，５３に連通している。
【００３５】
図１，図２に示すように、本体ケーシング３３の左右一側方には、各膜カートリッジ３４の透過液取出ノズル４１，４２から吸引された透過液を集める上下複数本（図２では上下二本）の集水管５９，６０が前後方向に設けられている。透過液取出ノズル４１，４２と集水管５９，６０とは接続管６１を介して接続されている。
【００３６】
両集水管５９，６０には透過液を導出する導出管６２が接続され、導出管６２には、透過液を吸引するための吸引力を膜カートリッジ３４の内側に発生させる吸引ポンプ（図示省略）が設けられている。尚、吸引ポンプを用いずに、反応槽３２内の被処理液６３の水頭圧を濾過駆動圧として利用し、吸引力を発生させてもよい。
【００３７】
図２に示すように、本体ケーシング３３は、他側部に、着脱自在なサイドパネル３５を有している。図２の仮想線で示すように、サイドパネル３５を本体ケーシング３３から取り外すことにより、膜カートリッジ３４を本体ケーシング３３内から取り外して幅方向Ｂ（横方向）へ出し入れすることができる。
【００３８】
以下、上記構成における作用を説明する。
濾過運転中は、散気装置６４から散気を行ないながら、吸引ポンプを駆動して、各膜カートリッジ３４の内側を減圧することにより、被処理液６３中の汚泥等が濾過膜３７で捕捉され、濾過膜３７を透過した透過液は、各透過液取出ノズル４１，４２に向かって各流路溝パターン３８，３９の貫通流路溝３８ａ，３９ａと連通溝３８ｂ，３９ｂとを流れ、各透過液取出ノズル４１，４２から接続管６１を経て集水管５９，６０に集められ、導出管６２を通って反応層３２の外部に導出される。
【００３９】
この際、図４，図５に示すように、上部の集水区域４４において、透過液は、第１の流路溝パターン３８の貫通流路溝３８ａと連通溝３８ｂと第１のヘッダー溝５１とを通って、上部の透過液取出ノズル４１に流れる。上記各貫通流路溝３８ａは、直線状であり、長さ方向Ｃ１の下端部から上端部に向って、上部の透過液取出ノズル４１に漸次近付くため、貫通流路溝３８ａ内の透過液の流れがスムーズになるとともに、透過液が上部の透過液取出ノズル４１まで流れる際の距離は短くなる。
【００４０】
また、中央部の集水区域４５において、透過液は、第２の流路溝パターン３９の貫通流路溝３９ａと連通溝３９ｂと第３のヘッダー溝５３とを通って、下部の透過液取出ノズル４２に流れる。上記各貫通流路溝３９ａは、直線状であり、長さ方向Ｃ２の上端部から下端部に向って、下部の透過液取出ノズル４２に漸次近付くため、貫通流路溝３９ａ内の透過液の流れがスムーズになるとともに、透過液が下部の透過液取出ノズル４２まで流れる際の距離は短くなる。
【００４１】
また、下部の集水区域４６において、透過液は、第１の流路溝パターン３８の貫通流路溝３８ａと連通溝３８ｂと第３のヘッダー溝５３とを通って、下部の透過液取出ノズル４２に流れる。上記上部および中央部の集水区域４４，４５と同様に、上記貫通流路溝３８ａ内の透過液の流れがスムーズになるとともに、透過液が下部の透過液取出ノズル４２まで流れる際の距離は短くなる。
【００４２】
このようなことから、膜カートリッジ３４の圧力損失を低減して膜面を有効に利用することができる。
また、上記のように、各集水区域４４〜４６における透過液は、これら集水区域４４〜４６に最も近い透過液取出ノズル４１，４２から膜カートリッジ３４の外部に取り出されるため、上下方向Ａに長い長方形状の膜カートリッジ３４の下部にも十分な吸引圧が作用し、これにより、膜面全面を有効に利用して透過液を得ることができ、膜カートリッジ３４からより多くの透過液を集液することができる。
【００４３】
また、図６に示すように、上部および下部の集水区域４４，４６において、第１の流路溝パターン３８の貫通流路溝３８ａと連通溝３８ｂとが交差する交差部分７３では、濾過膜３７は隣り合う二つのセル４０の角７４ａ，７４ｂと貫通流路溝３８ａの片側縁７４ｃとで支持（すなわち二点と一本の直線部とで支持）される。このため、膜カートリッジ３４の内側に吸引圧を与えた際、図１２に示した従来のような四つのセル２２の角２１ａ〜２１ｄのみで支持（すなわち四点支持）するものと比べて、交差部分７３において濾過膜３７を十分に支持することができる。これにより、交差部分７３において濾過膜３７が貫通流路溝３８ａ内に食い込んで貫通流路溝３８ａの流路断面積が縮小するのを防止することができる。同様に、中央部の集水区域４５の第２の流路溝パターン３９の貫通流路溝３９ａと連通溝３９ｂとが交差する交差部分７３においても、濾過膜３７が貫通流路溝３９ａ内に食い込んで貫通流路溝３９ａの流路断面積が縮小するのを防止することができる。したがって、膜カートリッジ３４の圧力損失を低減して膜面を有効に利用することができる。
【００４４】
また、図４に示すように、各ヘッダー溝５１〜５３の流路断面積はそれぞれ各貫通流路溝３８ａ，３９ａの流路断面積よりも大きいため、各ヘッダー溝５１〜５３内を流れる透過液の流速は、各貫通流路溝３８ａ，３９ａ内を流れる透過液の流速に比べて低下する。これにより、各ヘッダー溝５１〜５３内の圧力がほぼ平均化（均圧化）され、膜カートリッジ３４の幅方向Ｂにおいて吸引圧（圧力分布）を平均化（均圧化）することができる。
【００４５】
上記第１の実施の形態では、図４に示すように、膜カートリッジ３４の濾板３６の一側部のみに二個の透過液取出ノズル４１，４２を設けたが、第２〜第５の実施の形態として、図７（ａ）〜図７（ｄ）に示すように、透過液取出ノズル４１，４２，６６，６７（透過液取出口）を二個或いは三個以上の複数個設けてもよい。また、透過液取出ノズル４１，４２，６６，６７を濾板３６の両側部に設けてもよいし或いは他側部のみに設けてもよい。
【００４６】
また、上記第１の実施の形態では、図４に示すように、濾板３６を上下方向Ａにおいて三個の集水区域４４〜４６に区分したが、上下方向Ａにおいて二個の集水区域に区分してもよく、或いは、図７（ａ）〜図７（ｃ）に示すように、上下方向Ａにおいて四個以上の複数個の集水区域４４〜４７に区分してもよい。また、図７（ｄ）に示すように、上下方向Ａにおいて複数個（例えば三個）かつ幅方向Ｂにおいて複数個（例えば二個）の集水区域４４〜４９に区分してもよい。
【００４７】
また、上記第１の実施の形態では、濾板３６に二種類の流路溝パターン３８，３９を形成したが、三種類以上の複数種類の流路溝パターンを形成してもよい。
上記第１の実施の形態では、図４に示すように、第１の流路溝パターン３８の貫通流路溝３８ａを平行に配列し、第２の流路溝パターン３９の貫通流路溝３９ａを平行に配列したが、平行に限定されるものではなく、例えば、第６の実施の形態として、図８に示すように、上部の集水区域４４に形成された第１の流路溝パターン３８の各貫通流路溝３８ａが上部の透過液取出ノズル４１に最も近い（隣接した）箇所を中心部とした放射状に配列され、中央部の集水区域４５に形成された第２の流路溝パターン３９の各貫通流路溝３９ａが下部の透過液取出ノズル４２に最も近い（隣接した）箇所を中心部とした放射状に配列され、下部の集水区域４６に形成された第１の流路溝パターン３８の各貫通流路溝３８ａが下部の透過液取出ノズル４２に最も近い（隣接した）箇所を中心部とした放射状に配列されている。
【００４８】
尚、第１の流路溝パターン３８の貫通流路溝３８ａと第２の流路溝パターン３９の貫通流路溝３９ａとは、鉛直方向に対して傾斜しているが、傾斜の向きが異なっている。
以下、上記構成における作用を説明する。
【００４９】
上部の集水区域４４において、透過液は、上部の透過液取出ノズル４１に向って、第１の流路溝パターン３８の貫通流路溝３８ａと連通溝３８ｂと第１のヘッダー溝５１とを流れる。また、中央部の集水区域４５において、透過液は、下部の透過液取出ノズル４２に向って、第２の流路溝パターン３９の貫通流路溝３９ａと連通溝３９ｂと第３のヘッダー溝５３とを流れる。また、下部の集水区域４６において、透過液は、下部の透過液取出ノズル４２に向って、第１の流路溝パターン３８の貫通流路溝３８ａと連通溝３８ｂと第３のヘッダー溝５３とを流れる。これにより、上記第１の実施の形態のものと同様の効果が得られる。
【００５０】
尚、上記第２〜第５の実施の形態で示した膜カートリッジ３４の各貫通流路溝３８ａ，３９ａを、平行ではなく、放射状に配列してもよい。
上記各実施の形態では、濾板３６の表裏両面に濾過膜３７と流路溝パターン３８，３９とを設けたが、表裏いずれか片面のみに設けてもよい。
【００５１】
上記各実施の形態では、図４，図７，図８に示すように、隣り合う二本の貫通流路溝３８ａ，３９ａ同士を連通溝３８ｂ，３９ｂで連通させているが、本発明における第７の実施の形態として、図９（ａ）（ｂ）で示すように、隣り合う三本以上の複数本の貫通流路溝３８ａ，３９ａ同士を連通溝３８ｂ，３９ｂで連通させてもよい。また、連通溝３８ｂ，３９ｂを直線状に形成したが、直線状に限定されるものではなく、曲線や屈曲線状に形成してもよい。
【００５２】
上記各実施の形態において、濾板３６と濾過膜３７との間に、濾過膜３７の濾板３６への密着を防止するためのスペーサー（不織布やスポンジ等）を配置してもよい。
上記各実施の形態では、膜カートリッジ３４は、長辺を上下方向Ａにして膜分離装置３１内に配置されているが、長辺を幅方向Ｂにして膜分離装置３１内に配置されるものであってもよい。
【図面の簡単な説明】
【００５３】
【図１】本発明の第１の実施の形態における膜カートリッジを備えた膜分離装置の側面断面図である。
【図２】同、膜カートリッジを備えた膜分離装置の正面断面図である。
【図３】同、膜カートリッジの正面図である。
【図４】同、膜カートリッジの濾板の正面図である。
【図５】同、膜カートリッジの濾板の透過液取出ノズル部分の拡大正面図である。
【図６】同、膜カートリッジの濾板の流路溝と連通溝との交差部分の拡大図である。
【図７】本発明の第２〜第５の実施の形態における膜カートリッジの濾板の正面図である。
【図８】本発明の第６の実施の形態における膜カートリッジの濾板の正面図である。
【図９】本発明の第７の実施の形態における膜カートリッジの流路溝パターンの図である。
【図１０】従来の膜カートリッジの濾板の正面図である。
【図１１】同、膜カートリッジの濾板の流路溝の拡大図である。
【図１２】同、別の膜カートリッジの濾板の流路溝の拡大図である。
【符号の説明】
【００５４】
３４      膜カートリッジ
３６      濾板
３７      濾過膜
３８，３９    流路溝パターン
３８ａ，３９ａ    貫通流路溝
３８ｂ，３９ｂ    連通溝
４１，４２，６６，６７    透過液取出ノズル（透過液取出口）
４４〜４９    集水区域
５２，５３    ヘッダー溝
７０，７１    境界部分
Ａ      上下方向
Ｂ      幅方向
Ｃ１，Ｃ２      長さ方向
【図１】
2010075846.tif 000003
【図２】
2010075846.tif 000004
【図３】
2010075846.tif 000005
【図４】
2010075846.tif 000006
【図５】
2010075846.tif 000007
【図６】
2010075846.tif 000008
【図７】
2010075846.tif 000009
【図８】
2010075846.tif 000010
【図９】
2010075846.tif 000011
【図１０】
2010075846.tif 000012
【図１１】
2010075846.tif 000013
【図１２】
2010075846.tif 000014